(57)【要約】【課題】省スペースで設置及びメンテナンスが容易な歯科医療用エアドライヤを提供する。【解決手段】エア入力口(41)と、エア入力口(41)から供給されたエアを除湿する除湿部(D)と、除湿部(D)で除湿したドライエアを出力するエア出力口(42)と、エア入力口(41)，除湿部(D)，及びエア出力口(42)を覆う筐体(10)と、を備える。筐体(10)は、一の方向の一方側に配置された第１のカバー(6)と、他方側に配置された着脱可能な第２のカバー(5)と、を有する。除湿部(D)は、第１のカバー(6)で覆われ、エア入力口(41)及びエア出力口(42)は、第２のカバー(5)で覆われる。【選択図】図４
2019080884.tif 000002
【特許請求の範囲】
【請求項１】
エア入力口と、
前記エア入力口から供給されたエアを除湿する除湿部と、
前記除湿部で除湿したドライエアを出力するエア出力口と、
前記エア入力口，前記除湿部，及び前記エア出力口を覆う筐体と、
を備え、
前記筐体は、一の方向の一方側に配置された第１のカバーと、他方側に配置された着脱可能な第２のカバーと、を有し、
前記除湿部は、前記第１のカバーで覆われ、
前記エア入力口及び前記エア出力口は、前記第２のカバーで覆われることを特徴とする歯科医療用エアドライヤ。
【請求項２】
前記除湿部は冷凍式であり、前記除湿部からのドレンを外部に排出するドレン接続口が前記第２のカバーで覆われることを特徴とする請求項１記載の歯科医療用エアドライヤ。
【請求項３】
エア入力口と、
前記エア入力口から供給されたエアを除湿する除湿部と、
前記除湿部で除湿したドライエアを出力するエア出力口と、
一の方向の少なくとも一方側に配置された筐体と、
を備え、
前記除湿部は、前記筐体に覆われ、
前記エア入力口及び前記エア出力口は、前記一の方向の他方側に配置されるとともに、少なくとも一方が外部に露出していることを特徴とする歯科医療用エアドライヤ。
【請求項４】
前記除湿部は冷凍式であり、前記除湿部からのドレンを外部に排出するドレン接続口が、前記他方側に配置されていることを特徴とする請求項３記載の歯科医療用エアドライヤ。
【請求項５】
前記エア入力口に前記エアを供給する第１の管を接続する方向と、前記エア出力口から前記ドライエアを出力する第２の管を接続する方向と、が、前記一の方向に交差する同じ向きとなることを特徴とする請求項１〜４のいずれか１項に記載の歯科医療用エアドライヤ。
【請求項６】
前記一の方向から見たときに、前記第１の管を接続する位置と、前記第２の管を接続する位置と、が、異なる位置にあることを特徴とする請求項５記載の歯科医療用エアドライヤ。
【請求項７】
前記同じ向きとなる側に前記一の方向に延びると共に前記筐体が取り付けられるベースプレートを有し、
前記ベースプレートは、前記一の方向の一方側に、前記第１の管及び前記第２の管との両方を通過可能に縁部から切り込まれた切り込み部を有することを特徴とする請求項５又は請求項６記載の歯科医療用エアドライヤ。
【請求項８】
前記ベースプレートを下側とする姿勢で使用する床置き式であると共に、前記ベースプレートは、使用状態で床との間に隙間を形成する突出部を備え、
前記第１及び第２の管を、前記切り込み部を通して前記隙間に配管可能とされていることを特徴とする請求項７記載の歯科医療用エアドライヤ。
【発明の詳細な説明】
【技術分野】
【０００１】
本発明は、歯科医療用エアドライヤに関する。
【背景技術】
【０００２】
歯科医療に用いられるエアドライヤが知られており、一例が特許文献１に記載されている。
【０００３】
一般に歯科医療の現場には、特許文献１に示されるように、エアを利用して患者に治療等を行うためのツールを備えた歯科医療ユニットと、歯科医療ユニットにエアを供給するコンプレッサ及びそのエアを乾燥させるエアドライヤを含むエア供給システムと、が配備されている。
前者の歯科医療ユニットは診療室内に設置される一方、コンプレッサ及びエアドライヤは、診療室から離れた機械室内に設置されるのが一般的である。
そして、コンプレッサから出力されたエアは、エアドライヤによって乾燥エアとされ、床下などに敷設された配管を通して診療室内の歯科医療ユニットに供給される。
【０００４】
エアドライヤの構造としては、冷凍式、膜式、吸着式などがあり、特に冷凍式は、大容量のエアを使用する場合に好適とされる。
【先行技術文献】
【特許文献】
【０００５】
【特許文献１】特開平７−１１６１８２号公報
【発明の概要】
【発明が解決しようとする課題】
【０００６】
機械室内において、エアドライヤは、コンプレッサと共に省スペース、かつコンパクトに設置できるものであることが望まれている。特に冷凍式エアドライヤでは、配管接続やメンテナンスに相応の工数が必要になるため、それらの作業が容易であることが望まれる。
しかしながら、従来、歯科医療に用いるエアドライヤは、既存の汎用ドライヤを流用するのが一般的で、設置性やメンテナンス性に対し配慮が十分とは言えなかった。
【０００７】
例えば、配管の接続位置がケースの背面や側面に設けられている場合には 、機械室の壁面との間に配管スペースを確保する必要が生じる、設置及びメンテナンス作業が容易ではない、或いはエア供給システムのコンプレッサと近接して並設できない、などの不具合が生じていた。
また、ケースを側方へ取り外す構造になっている場合もあり、内部メンテナンスなどの際にケースを取り外せるように、壁面などから離して設置しなければならない、という不具合も生じていた。
これらの不具合の改善は、ドライヤの方式によらず望まれる。
【０００８】
そこで、本発明が解決しようとする課題は、省スペースで設置できメンテナンスが容易な歯科医療用エアドライヤを提供することにある。
【課題を解決するための手段】
【０００９】
上記の課題を解決するために、本発明は次の構成を有する。
１）  エア入力口と、
前記エア入力口から供給されたエアを除湿する除湿部と、
前記除湿部で除湿したドライエアを出力するエア出力口と、
前記エア入力口，前記除湿部，及び前記エア出力口を覆う筐体と、
を備え、
前記筐体は、一の方向の一方側に配置された第１のカバーと、他方側に配置された着脱可能な第２のカバーと、を有し、
前記除湿部は、前記第１のカバーで覆われ、
前記エア入力口及び前記エア出力口は、前記第２のカバーで覆われることを特徴とする歯科医療用エアドライヤである。
２）  前記除湿部は冷凍式であり、前記除湿部からのドレンを外部に排出するドレン接続口が前記第２のカバーで覆われることを特徴とする１）に記載の歯科医療用エアドライヤである。
３）  エア入力口と、
前記エア入力口から供給されたエアを除湿する除湿部と、
前記除湿部で除湿したドライエアを出力するエア出力口と、
一の方向の少なくとも一方側に配置された筐体と、
を備え、
前記除湿部は、前記筐体に覆われ、
前記エア入力口及び前記エア出力口は、前記一の方向の他方側に配置されるとともに、少なくとも一方が外部に露出していることを特徴とする歯科医療用エアドライヤである。
４）  前記除湿部は冷凍式であり、前記除湿部からのドレンを外部に排出するドレン接続口が、前記他方側に配置されていることを特徴とする３）に記載の歯科医療用エアドライヤである。
５）  前記エア入力口に前記エアを供給する第１の管を接続する方向と、前記エア出力口から前記ドライエアを出力する第２の管を接続する方向と、が、前記一の方向に交差する同じ向きとなることを特徴とする１）〜４）のいずれか一つに記載の歯科医療用エアドライヤである。
６）  前記一の方向から見たときに、前記第１の管を接続する位置と、前記第２の管を接続する位置と、が、異なる位置にあることを特徴とする５）に記載の歯科医療用エアドライヤである。
７）  前記同じ向きとなる側に前記一の方向に延びると共に前記筐体が取り付けられるベースプレートを有し、
前記ベースプレートは、前記一の方向の一方側に、前記第１の管及び前記第２の管との両方を通過可能に縁部から切り込まれた切り込み部を有することを特徴とする５）又は６）に記載の歯科医療用エアドライヤである。
８）  前記ベースプレートを下側とする姿勢で使用する床置き式であると共に、前記ベースプレートは、使用状態で床との間に隙間を形成する突出部を備え、
前記第１及び第２の管を、前記切り込み部を通して前記隙間に配管可能とされていることを特徴とする７）に記載の歯科医療用エアドライヤである。
【発明の効果】
【００１０】
本発明によれば、省スペースで設置できメンテナンスが容易である。
【図面の簡単な説明】
【００１１】
【図１】図１は、本発明の実施の形態に係る歯科医療用エアドライヤの実施例であるエアドライヤ５１の設置例を説明する模式図である。
【図２】図２は、エアドライヤ５１を示す前面図である。
【図３】図３は、エアドライヤ５１を示す右側面図である。
【図４】図４は、エアドライヤ５１の前カバー５を外した状態を示す斜視図である。
【図５】図５は、エアドライヤ５１の冷媒回路及び空気流路を説明する回路図である。
【図６】図６は、図４の状態を示す右側面図である。
【図７】図７は、図４の状態を示す上面図である。
【図８】図８は、エアドライヤ５１に対しオプションを装着したエアドライヤ５２の前カバー５を外した状態を示す斜視図である。
【図９】図９は、図８の状態を示す上面図である。
【図１０】図１０は、変形例のエアドライヤ５３を示す斜視図である。
【発明を実施するための形態】
【００１２】
本発明の実施の形態に係る歯科医療用エアドライヤを、実施例のエアドライヤ５１及びその変形例のエアドライヤ５２により説明する。
【００１３】
（実施例）
図１は、歯科医療現場（歯科医院など）におけるエアドライヤ５１の概略の設置状態を説明するための模式図である。
歯科医療現場において、治療室Ｒ１には歯科治療ユニット２１が設置されている。歯科治療ユニット２１は、患者用椅子２１ａと、エアで動作する治療用ツールを有する治療装置２１ｂと、を備えている。
【００１４】
治療室Ｒ１から離れた機械室Ｒ２には、歯科治療ユニット２１にエアを供給するためのエア供給システム２２が設置されている。
歯科治療ユニット２１とエア供給システム２２とは、床下などに敷設されたエア配管２３で接続されている。
治療現場が大規模な場合、エア供給システム２２が、複数の歯科治療ユニット２１に対し並列的にエアを供給する場合もある。
【００１５】
エア供給システム２２は、エアを圧縮して送出するシステム用エアコンプレッサ２２ａと、システム用エアコンプレッサ２２ａから送出されたエアを除湿しドライエアとして送出するエアドライヤ５１と、を有する。
従って、エア配管２３を通り歯科治療ユニット２１に供給されるエアは、エアドライヤ５１から送出されたドライエアである。
エアドライヤ５１は床或いは棚などに置いて使用するいわゆる床置きタイプである。
【００１６】
図２及び図３は、それぞれエアドライヤ５１の外観を示す前面図及び右側面図であり、いずれも床ＦＬに置いた状態で示されている。
説明の便宜上、上下前後左右の各方向を、図２及び図３に矢印で規定する。
上下方向は、エアドライヤ５１の設置状態での天地方向に対応し、前方は意匠上、使用者に向く面としてデザインされた面の方向である。
【００１７】
エアドライヤ５１は、箱状の筐体１０を有する。筐体１０は、底板となるベースプレート１と、前後に分割された前カバー５及び後カバー６と、を含み構成されている。すなわち、筐体１０は、前後方向の一方（後方）に配置された後カバー６と、他方（前方）に配置された前カバー５と、を有する。
前カバー５は、後述のように、使用者により簡単に着脱可能とされている。図４は、前カバー５を取り外した状態のエアドライヤ５１を、右前斜め上方から見た斜視図である。
図５は、エアドライヤ５１の冷媒回路及び空気流路を説明するための回路図である。図５では、冷媒の流れ方向が実線矢印で示され、エアの流れ方向が破線矢印で示されている。
以下、図１〜図５を参照して、エアドライヤ５１の構成を説明する。
【００１８】
エアドライヤ５１は、底となる位置に配置された平板上のベースプレート１と、ベースプレート１の前後方向ほぼ中央に立設された区画壁２(図４)と、後端部に立設された後部壁３と、区画壁２と後部壁３とを繋ぎ上下中央部位に水平配置された棚壁４（図４）と、を有する。区画壁２，後部壁３，及び棚壁４はいずれも板状部材であり、区画壁２及び後部壁３には、所定形状の開口部が形成されている。
【００１９】
ベースプレート１は、前部の中央位置に、前縁部から後方に向けて切り込まれた切り込み部１ｄを有している。この例において切り込み部１ｄは、略矩形とされている。
ベースプレート１の下面１ａの四隅には、それぞれフット１ｂが取り付けられている。フット１ｂにより、下面１ａは床ＦＬから高さＨａ（図３）だけ離隔し、下面１ａと床ＦＬとの間に底空間Ｖａが形成されている。高さＨａは、後述する入出力接続群ＨＲを構成する各管（ホース）の外径よりも大きく設定されている。
【００２０】
ベースプレート１の前側を除く縁部には、フランジ１ｃが立ち上げ形成されている。フランジ１ｃには、前カバー５及び後カバー６がねじにより着脱自在に取り付けられている。
【００２１】
後カバー６は、左右の側面と上面とを覆うコ字状に形成され、ベースプレート１，区画壁２，及び後部壁３にそれぞれねじＮ１〜Ｎ３により取り付けられている。
後カバー６は、左右側面それぞれの上部及び下後部において、複数の孔が並設された通気孔群６ａ１及び６ａ２を有している。
【００２２】
前カバー５は、左右の側面、上面、及び前面を覆い、後面及び下面が開放した略箱状に形成され、ベースプレート１の左右のフランジ１ｃに対し、ねじＮａ１により取り付けられている。ねじＮａ１は、使用者が前カバー５をより容易に着脱可能とすべく、ノブ付きねじとされ、少ない本数（この例で左右２本ずつ合計４本）に設定されている。図４では、前カバー５を外した状態のフランジ１ｃの雌ねじ部にねじＮａ１を螺着した状態で示されている。
【００２３】
エアドライヤ５１の筐体１０の内部は、区画壁２を挟んで、着脱容易とされた前カバー５で覆われた前部空間Ｖｆを有する前部収容室Ｒｆと、後カバー６で覆われた後部空間Ｖｂを有する後部収容室Ｒｂと、に便宜的に区分できる。
後部収容室Ｒｂは、さらに、既述の棚壁４によって後下部収容室Ｒｂ１と後上部収容室Ｒｂ２とに区画されている。
すなわち、後下部収容室Ｒｂ１は、ベースプレート１と区画壁２と後部壁３と棚壁４とに囲まれて形成され、後上部収容室Ｒｂ２は、区画壁２と後部壁３と後カバー６と棚壁４とに囲まれて形成される。
【００２４】
次に、エアドライヤ５１の冷媒回路ＡＣ及び空気流路ＡＲの主な構成について図５の回路図を参照して説明する。
図５に示されるように、エアドライヤ５１の冷媒回路ＡＣには、コンプレッサ３１，第１熱交換器としての凝縮器３２，蒸発器３４が直列に配置されている。
以下、それぞれについて詳述する。
【００２５】
まず、冷媒は、コンプレッサ３１から高温高圧のガス冷媒として配管経路Ｔ１に送出され、凝縮器３２に供給される。
【００２６】
凝縮器３２に供給された高温高圧のガス冷媒は、ファン３２ａによる強制的な外気との熱交換によって奪熱され、高圧の液体冷媒とされる。その液体冷媒は、配管経路Ｔ２を経て蒸発器３４に供給される。
蒸発器３４では、熱交換パイプ３４ｐがコイル状に形成されている。熱交換パイプ３４ｐは、径方向内外に二重流路構造とされている。
蒸発器３４に供給された液体冷媒は、外側流路３４ａに流入する。その流入の際、流路断面積が拡張するようになっているので膨張して降温し、低圧低温の液体冷媒となって外側流路３４ａを流れる。
一方、内側流路３４ｂには、エア入力口４１から第２熱交換器としての空気間熱交換器３６を経て供給された空気が液体冷媒と逆方向に流れる。
エア入力口４１に流入する空気は、前段のシステム用エアコンプレッサ２２ａで圧縮された高温高圧の空気である。
【００２７】
そのため、内側流路３４ｂを流れる高温の空気と、外側流路３４ａを流れる低圧低温の液体冷媒との間で熱交換がなされて空気は冷却され、空気中の水分が液化して水となる。生じた水は、ドレンセパレータ３５で分離されるので、気体分が空気間熱交換器３６に流入する。
【００２８】
空気間熱交換器３６は、気体対気体の熱交換器である。空気間熱交換器３６では、蒸発器３４と同様に熱交換パイプ３６ｐがコイル状に形成されている。熱交換パイプ３６ｐは、径方向内外に二重流路構造とされている。
外側経路３６ａには、エア入力口４１から高温の空気が流入し、内側経路３６ｂには、ドレンセパレータ３５で気液分離した低温のドライエアが流入する。
そのため、高温の空気と、低温のドライエアとの間で熱交換が行われ、ドライエアは昇温してほぼ常温のドライエアとしてエア出力口４２から出力する。
【００２９】
一方、蒸発器３４を通り送出された液体冷媒は、蒸発器３４での熱交換によって低圧で一部がガス化した気液混合体となっている。そこで、液体を分離するアキュムレータ３７を通し、気体成分だけ配管経路Ｔ３を通りコンプレッサ３１へ戻るようになっている。
図５に示される回路例では、配管経路Ｔ２と配管経路Ｔ３との間で熱交換を行い、配管経路Ｔ２内の液体冷媒を一部蒸発させてその蒸発熱で冷媒を過冷却状態にするエコノマイザ３３が設けられている。
【００３０】
以上の冷媒回路ＡＣ及び空気流路ＡＲを有する冷凍式のエアドライヤ５１は、上述の配管を接続作業時やメンテナンス作業時に作業者が取り扱う部位及び機能ブロックを前部収容室Ｒｆの内部に配置し、作業者が取り扱う頻度が低い部位及び機能ブロックを後部収容室Ｒｂの内部に配置している。
【００３１】
この設置及びメンテナンス性を考慮した内部レイアウトについて、図４及び図６を参照して説明する。図６は、図４に示される前カバー５を外したエアドライヤ５１の右側面図である。
通常、使用者の作業頻度が低く、熱交換が行われる凝縮器３２，蒸発器３４，及び空気間熱交換器３６を、除湿部Ｄとして後部収容室Ｒｂ内に配置している。
具体的には、後部収容室Ｒｂの後下部収容室Ｒｂ１に凝縮器３２を配置し、後上部収容室Ｒｂ２に、コイル状の蒸発器３４及び空気間熱交換器３６を、蒸発器３４が下となるように設置している。
【００３２】
凝縮器３２のファン３２ａは、区画壁２の下部に設けられた開口部に跨るよう配置されている。ファン３２ａの動作により、外部空気が通気孔群６ａ２から後下部収容室Ｒｂ１内に流入し、熱交換に供された後、前部収容室Ｒｆに入り、区画壁２の上部の開口を通って後上部収容室Ｒｂ２に入り、通気孔群６ａ１から外部に排出する空気流が発生する。
【００３３】
区画壁２の上部の前部収容室Ｒｆ側には、左右に離隔して、右側にエア入力口４１、左側にエア出力口４２が設置されている。
ドレンセパレータ３５は後上部収容室Ｒｂ２に配置され、ドレンセパレータ３５に接続されたドレン管Ｔ４ｐが、区画壁２の中央部から前方に延出している。
ドレン管Ｔ４ｐは、前部収容室Ｒｆ内においてオートドレン３９に接続されている。
オートドレン３９から出力されたドレンは、ドレンホース３９ａの途中に設けられ、操作パネル部７（詳細後述）に配置されたドレンコック３９ｂを経て、ドレン排出ホース３９ｃによって外部に排出される。
コンプレッサ３１は、ベースプレート１上に、一部が後下部収容室Ｒｂ１内に収まるよう設置され、上面から配管経路Ｔ１の管Ｔ１ｐが引き出されて区画壁２を通り後下部収容室Ｒｂ１の凝縮器３２に接続されている。また、コンプレッサ３１の側部には、配管経路Ｔ３における管Ｔ３ｐが、後上部収容室Ｒｂ２の蒸発器３４から区画壁２を通り接続されている。
【００３４】
図３及び図４に示されるように、ベースプレート１の右縁部には、使用者が視認把握及び操作可能な操作パネル部７が取り付けられている。
操作パネル部７には、電源スイッチ７ａ、運転表示ランプ７ｂ、蒸発温度計７ｃ、ドレンコック３９ｂが配置されている。
ドレンコック３９ｂは、オートドレン３９の下流側に配置された開閉弁であり、通常は開状態とされている。ドレンコック３９ｂは、オートドレン３９などに不具合が生じエアが漏れて歯科治療ユニット２１へのエア供給が停止してしまう場合などにおいて、緊急措置として手動で閉状態にしてエア漏れを止め、そのエア供給を継続できるようにするため設けられている。
操作パネル部７の電源スイッチ７ａには、電源コード４０の一端側が接続され、外部の電源から電源コード４０を介してエアドライヤ５１に電源が供給される。
【００３５】
操作パネル部７は、左縁部に取りつけられていてもよい。いずれにおいても、前カバー５は、前カバー５を取り付けた状態で、操作パネル部７を外部に露出させるよう操作パネル部７に形成された開口部５ａ（図３）を有する。
【００３６】
前部収容室Ｒｆ内において、エア入力口４１には、供給ホース４１ｂが接続される。接続部の下流側直後には、ストレーナ４１ａが接続されている。
前部収容室Ｒｆ内において、エア出力口４２には、出力ホース４２ｂが接続される。接続部の下流側直後には、レギュレータ４２ａが接続されている。
【００３７】
エアドライヤ５１は、外部と接続する管及びコードとして、供給ホース４１ｂ，ドレン排出ホース３９ｃ，出力ホース４２ｂ，及び電源コード４０（以下、これらを纏めて入出力接続群ＨＲとも称する）がある。入出力接続群ＨＲは、エアドライヤ設置時に外部に引き出される。
【００３８】
エアドライヤ５１は、ベースプレート１に切り込み部１ｄが形成され、フット１ｂにより下面１ａと床ＦＬとの間に底空間Ｖａが形成されている。
そして、入出力接続群ＨＲを接続するエアドライヤ５１側の接続部位が、前カバー５を外した状態ですべて露出するようになっている。
すなわち、エアドライヤ５１において、入出力接続群ＨＲを接続する接続部位は、前部収容室Ｒｆ内に配置されると共に、入出力接続群ＨＲを、上下方向の同じ向きである下方へ延びる（垂れる）よう接続して切り込み部１ｄから底空間Ｖａへ引き出せるようになっている。
入出力接続群ＨＲは、底空間Ｖａへ引き出された後、図４に示されるように前方に引き出してもよいし、左右いずれかの側方に引き出してもよい。もちろん、後方へ引き出すこともできる。
【００３９】
この構成により、エアドライヤ５１の設置時やメンテナンス時に、作業者は、前カバー５を外すだけですべての入出力関係の配管や配管上のチェックを行うことができる。これにより、エアドライヤ５１は、設置及びメンテナンスが容易である。
また、入出力接続群ＨＲが下面１ａから下方の底空間Ｖａに引き出せるので、エアドライヤ５１の左右の側面や後面に入出力の接続部がない。
そのため、エアドライヤ５１は、設置において壁面との間に配管スペースを確保する必要はなく、エア供給システム２２のシステム用エアコンプレッサ２２ａや他の機器との近接配置も可能である。
これにより、エアドライヤ５１は、省スペースで設置が可能である。
【００４０】
次に、エアドライヤ５１における入出力接続群ＨＲの接続及び引き回しの詳細を、図６及び図７を主に参照して説明する。図７は、図４の状態のエアドライヤ５１の上面図である。
【００４１】
図７に示されるように、エア入力口４１，エア出力口４２，及びドレン管Ｔ４ｐは、左右方向に互いに離隔した位置にて、前後方向に延びる軸線ＣＬ４１，ＣＬ４２，ＣＬ４３上で区画壁２から同じ方向（前方）に延びるように設置されている。
それぞれの位置は、左側から軸線ＣＬ４２，ＣＬ４３，ＣＬ４１上にあり、左右方向をＸ軸とすると、図７において各Ｘ軸方向の位置は、互いに離隔したＸ２，Ｘ３，Ｘ１で示される。
【００４２】
また、前後方向をＹ軸とすると、ドレンホース３９ａの接続位置Ｐ３，供給ホース４１ｂの接続位置Ｐ１，及び出力ホース４２ｂの接続位置Ｐ２のＹ軸方向の位置は、前方側から互いに離隔したＹ３，Ｙ１，Ｙ２で示される。
【００４３】
接続位置Ｐ２，接続位置Ｐ３，接続位置Ｐ１において、出力ホース４２ｂ，オートドレン３９，供給ホース４１ｂは、それぞれＬ型継手４２ｃ，３９ｄ，４１ｃを介して、それぞれ同じ方向である下方側から接続される。
【００４４】
これにより、エアドライヤ５１は、出力ホース４２ｂ，ドレンホース３９ａ，及び供給ホース４１ｂの接続及び引き回しにおいて互いに干渉しにくく、引き出し方向も上下方向として揃っているため、それぞれ着脱作業が容易である。
また、エアドライヤ５１は、前後に区画された二つの部屋として、後部収容室Ｒｂ及び前部収容室Ｒｆが形成され、作業者側となる前部収容室Ｒｆ内に、設置時及びメンテナンス時に作業対象となる部位及び部材がまとめて配置されている。
そして、前部収容室Ｒｆを覆う前カバー５は、前方、上方、又は前斜め上方の、実質一平面上に移動させて着脱することができるようになっている。
そのため、エアドライヤ５１は、壁面や他装置との近接設置が可能であり、設置した状態で前カバー５を取り外してメンテナンス等を行うことができる。
これにより、エアドライヤ５１は、省スペースで設置及びメンテナンスが容易になっている。
【００４５】
本発明の実施例は、上述した構成に限定されるものではなく、本発明の要旨を逸脱しない範囲において変形例としてもよい。
【００４６】
使用者の選択やエアドライヤ５１の仕様などにより、入力されるエア，出力されたエア，或いは排出するドレンを通過させるフィルタを挿入接続してもよい。また、温度計や圧力計なとの計器部材を各配管に挿入接続してもよい。
【００４７】
例えば、エアドライヤ５１に対し、エア出力口４２から出力されたエアを、オイルミストフィルタ４３及び除菌フィルタ４４を通して歯科治療ユニット２１に供給する仕様のエアドライヤ５２に変形してもよい。
図８及び図９には、エアドライヤ５１におけるエア出力口４２に近接接続されたレギュレータ４２ａの下流側に、オイルミストフィルタ４３と除菌フィルタ４４とをこの順に直列接続した例が示されている。
【００４８】
（変形例１）
変形例１のエアドライヤ５２では、エアドライヤ５１に対し、レギュレータ４２ａにオイルミストフィルタ４３を付加接続する配管経路Ｔ５が設けられる。
配管経路Ｔ５は、レギュレータ４２ａの下流側直後に接続されたＬ型継手４２ｃから下方に引き出されオイルミストフィルタ４３の後面に接続された管Ｔ５ｐ（図９）を含む。
オイルミストフィルタ４３の下端にはミストドレンホース４３ｄが下方に延びる（垂れる）ように接続され、オイルミストなどの分離液が排出される。
除菌フィルタ４４において、エアは除菌処理がされて前面から出力する。また、除菌フィルタ４４の下端には除菌ドレンホース４４ｄ（図８）が下方に延びる（垂れる）ように接続されドレンが排出される。
【００４９】
除菌フィルタ４４は、オイルミストフィルタ４３の前方に配置され、オイルミストフィルタ４３の前面に対し、上面視において前後方向に延びる軸線ＣＬ４４（図９）に沿って中継管Ｔ６ｐにより接続されている。
除菌フィルタ４４は、前面に、経路を下方に偏向させるＬ型継手４４ｃが接続されており、このＬ型継手を通して濾過されたエアが出力される。
Ｌ型継手４４ｃには、出力エアホース４４ｂが下方に延びる（垂れる）ように接続される。
【００５０】
この変形例１においても、供給ホース４１ｂ，出力エアホース４４ｂ，ミストドレンホース４３ｄ，除菌ドレンホース４４ｄ，ドレン排出ホース３９ｃ，及び電源コード４０（これらをまとめて入出力接続群ＨＲ１とも称する）は、ベースプレート１の切り込み部１ｄを通して底空間Ｖａに引き出されている。
また、図８に示された例では、切り込み部１ｄからすべて前方に引き出されているが、底空間Ｖａに引き出された後の引き出し方向は任意である。
【００５１】
上面視の図９に示されるように、オプションとして取り付けられたオイルミストフィルタ４３及び除菌フィルタ４４において、オイルミストフィルタ４３のミストドレンホース４３ｄの接続位置Ｐ４と、除菌ドレンホース４４ｄの接続位置Ｐ５及び出力エアホース４４ｂの接続位置Ｐ６と、は、前後方向に延びる軸線ＣＬ４４上の異なる位置にある。すなわち、接続位置Ｐ４〜Ｐ６は、Ｘ軸方向（左右方向）の位置が同じでＸ４とされ、Ｙ軸方向（前後方向）の位置が違いに離隔してＹ４３，Ｙ４４，Ｙ４５で示される。このＸ４の位置は、既設置のオートドレン３９の位置Ｘ３とエア入力口４１の位置Ｘ１の間にある，
【００５２】
このように、エアドライヤ５１は、オプション機器のホースの接続位置Ｐ４〜Ｐ６のＸ軸方向の位置Ｘ４が、既設置のＸ１，Ｘ２，Ｘ３の位置に対して離隔した位置に設定されている。これにより、各接続位置へのホースの接続や、各ホースの切り込み部１ｄから外部への引き出しが、エアドライヤ５１の組み立て時はもとより後付作業においても容易になっている。
【００５３】
（変形例２）
変形例２のエアドライヤ５３は、図１０に示されるように、エアドライヤ５１における前カバー５の替わりに前カバー７５を備えている。
詳しくは、前カバー５が、エア入力口４１及びエア出力口４２を覆うカバーであるのに対し、前カバー７５は、エア入力口４１及びエア出力口４２の少なくとも一方を外部に露出させるカバーである。
図１０に示された例において、前カバー７５は、エア入力口４１，エア出力口４２，及びオートドレン３９を外部に露出する一方、コンプレッサ３１及び切り込み部１ｄ周辺を覆う高さの低い箱状のカバーとなっている。前カバー７５を用いる場合、メンテナンス等の作業の便宜のため、前カバー７５の前面部７５ａを前方側から装脱可能な構造にしておくとよい。
【００５４】
エアドライヤ５３においても、エアドライヤ５１，５２と同様に、壁面や他装置との近接設置が可能であり、設置した状態で前面部７５ａを前方側からの作業で前方に取り外せるようにしておくことでメンテナンス等を行うことができる。
これにより、エアドライヤ５３は、省スペースで設置できメンテナンスが容易である。
【００５５】
エアドライヤ５３は、設置環境や使用態様に応じて、前カバー７５を備えていないエアドライヤ５４としてもよい。すなわち、エアドライヤ５４は、図４に示される態様となる。
この場合も壁面や他装置との近接設置が可能であり、メンテナンスも容易である。また、図７を参照して説明した入出力接続群ＨＲの接続及び引き回しは、エアドライヤ５１などと同じであり、出力ホース４２ｂ，ドレンホース３９ａ，及び供給ホース４１ｂの接続及び引き回しにおいて互いに干渉しにくく、引き出し方向も上下方向として揃っているため、それぞれ着脱作業が容易である。
【００５６】
以上、エアドライヤ５１〜５４として冷凍式のものを説明したが、冷凍式に限定されず、他の方式（膜式、吸着式、その他の方式）であってもよい。
エアドライヤ５１〜５４は、筐体１０の内部が、前部収容室Ｒｆと後部収容室Ｒｂとに区分され、入出力の配管の接続部（少なくとも、入力エアの接続部と出力ドライエアの接続部）が前部収容室Ｒｆ内に配置されている。また、エアドライヤ５１〜５４は、各接続部にホース類が下方に向け接続され、ベースプレート１の切り込み部１ｄからベースプレート１と設置面（床ＦＬ）との間の底空間Ｖａに引き出せるようになっている。
【００５７】
エアドライヤ５１〜５４の内部において一端側が接続された入出力接続群ＨＲ，ＨＲ１の各管（ホース）が垂れる方向は、鉛直下方でなくてよい。前後方向に対し、斜交する方向であっても向きが揃っていればよい。
【００５８】
フット１ｂは、ベースプレート１から下方に高さＨａで突出した突出部であればよく、形状は限定されない。
【００５９】
上記説明におけるホースは、樹脂製、ゴム製の湾曲可能な管に限らず、金属製のフレキシブル管も含むものである。ここで言うホースは、湾曲させて配設可能な管であって材料や態様は限定されない。
【符号の説明】
【００６０】
１  ベースプレート
１ａ  下面、    １ｂ  フット（突出部）、    １ｃ  フランジ
１ｄ  切り込み部
２  区画壁、    ３  後部壁、    ４  棚壁
５，７５  前カバー、    ５ａ  開口部
６  後カバー、    ６ａ１，６ａ２  通気孔群
７  操作パネル部
７ａ  電源スイッチ、    ７ｂ  運転表示ランプ、    ７ｃ  蒸発温度計
１０  筐体
２１  歯科治療ユニット、    ２１ａ  患者用椅子、    ２１ｂ  治療装置
２２  エア供給システム、    ２２ａ  システム用エアコンプレッサ
２３  エア配管
３１  コンプレッサ
３２  凝縮器（第１熱交換器）、    ３２ａ  ファン
３３  エコノマイザ
３４  蒸発器
３４ａ  外側流路、    ３４ｂ  内側流路、    ３４ｐ  熱交換パイプ
３５  ドレンセパレータ
３６  空気間熱交換器（第２熱交換器）
３６ａ  外側経路、    ３６ｂ  内側経路、    ３６ｐ  熱交換パイプ
３７  アキュムレータ    
３９  オートドレン
３９ａ  ドレンホース、    ３９ｂ  ドレンコック
３９ｃ  ドレン排出ホース、    ３９ｄ  Ｌ型継手
４０  電源コード
４１  エア入力口
４１ａ  ストレーナ、    ４１ｂ  供給ホース、    ４１ｃ  Ｌ型継手
４２  エア出力口
４２ａ  レギュレータ、    ４２ｂ  出力ホース、    ４２ｃ  Ｌ型継手
４３  オイルミストフィルタ  ４３ｄ  ミストドレンホース
４４  除菌フィルタ
４４ｂ  出力エアホース、    ４４ｄ  除菌ドレンホース
５１〜５４  エアドライヤ
ＡＣ  冷媒回路、    ＡＲ  空気流路
ＣＬ４１，ＣＬ４２，ＣＬ４３，ＣＬ４４  軸線
Ｄ  除湿部
ＦＬ  床、    Ｈａ  高さ
ＨＲ，ＨＲ１  入出力接続群
Ｎ１〜Ｎ３，Ｎａ１  ねじ
Ｐ１〜Ｐ３  接続位置
Ｒ１  治療室、    Ｒ２  機械室
Ｒｂ  後部収容室、    Ｒｂ１  後下部収容室、    Ｒｂ２  後上部収容室
Ｒｆ  前部収容室
Ｔ１〜Ｔ３，Ｔ５  配管経路
Ｔ１ｐ，Ｔ２ｐ，Ｔ５ｐ  管、      Ｔ６ｐ  中継管、    Ｔ４ｐ  ドレン管
Ｖａ  底空間、    Ｖｂ  後部空間、    Ｖｆ  前部空間
【図１】
2019080884.tif 000003
【図２】
2019080884.tif 000004
【図３】
2019080884.tif 000005
【図４】
2019080884.tif 000006
【図５】
2019080884.tif 000007
【図６】
2019080884.tif 000008
【図７】
2019080884.tif 000009
【図８】
2019080884.tif 000010
【図９】
2019080884.tif 000011
【図１０】
2019080884.tif 000012